(57)【特許請求の範囲】
【請求項１】
板状の魚釣り用ルアーにおいて、釣り糸側アイと釣り針側アイとを連結しリーリング時に受ける水抵抗及びキャスティング時に受ける空気抵抗のいずれによっても殆ど弾性変形しない芯体と、該芯体の周りに取り付けられリーリング時に受ける水抵抗によっては殆ど弾性変形せずに広がった状態を維持し且つキャスティング時に受ける空気抵抗により大きく弾性変形する板状本体とから成ることを特徴とする魚釣り用ルアー。
【発明の詳細な説明】
【０００１】
【発明の属する技術分野】
本発明は、魚釣り用ルアー（擬餌）に関するものである。さらに詳しくは、スプーンのような板状のルアーに関するものである。
【０００２】
【従来の技術】
魚釣り用ルアーの一つであるスプーンは、従来、金属・木・プラスチック等の薄板をほぼ楕円形状に成形すると共に適宜湾曲させて形成されていた。このスプーンは、リーリング時に水の抵抗を受けて魚に興味をいだかせる遊泳アクションを行うものであり、魚の遊泳層はその時の状況によって異なるので、釣り人は狙うポイントに応じて使用するスプーンの形状、大きさ及び重量等を適宜選択している。
【０００３】
例えば、表層（浅い場所）のポイントを狙ってゆっくり泳がすには、薄肉で軽く且つ幅広でリーリング時に受ける水抵抗が大きいタイプのスプーンが適している。一方、深層（深い場所）のポイントを狙うには、肉厚で重く且つ幅が狭くて沈み易いタイプのスプーンが適している。
【０００４】
【発明が解決しようとする課題】
しかしながら、従来のスプーンでは、表層のポイントを狙うのに適したタイプのものを遠方までキャスティングすることが困難であった。即ち、幅広のスプーンはキャスティングの際に受ける空気抵抗が非常に大きく、遠くまで投げることができなかった。この場合、幅広のスプーンであっても厚肉で重量の重いものを使用することでキャスティング時の飛距離を幾分増加させることは可能ではあるが、重いスプーンは沈み易く、表層を泳がせるには非常に速い速度で引かなければならないので、魚の興味を引くように遊泳アクションさせることが困難であった。また、幅が狭くて受ける空気抵抗が小さいスプーンを使用することで遠方へのキャスティングが可能になるが、リーリング時の水の抵抗が小さくなるので重いスプーンを使用した場合と同様に沈み易く、表層のポイントを狙うには不向きであった。
【０００５】
つまり、軽く泳ぎの良い（受ける水の抵抗が大きい）ルアーでは重量が軽くキャスティング時の空気抵抗も大きいことから、遠投に難があり、また重く遠投の利くルアーでは泳ぎ方に難がある。
【０００６】
本発明は、キャスティング時には空気抵抗が少なく遠投が可能でかつリーリング時には水の抵抗を大きく受けて泳ぎの良い魚釣り用ルアーを提供することを目的とする。
【０００７】
【課題を解決するための手段】
かかる目的を達成するために、本発明は、板状の魚釣り用ルアーにおいて、釣り糸側アイと釣り針側アイとを連結しリーリング時に受ける水抵抗及びキャスティング時に受ける空気抵抗のいずれによっても殆ど弾性変形しない芯体と、該芯体の周りに取り付けられリーリング時に受ける水抵抗によっては殆ど弾性変形せずに広がった状態を維持し且つキャスティング時に受ける空気抵抗により大きく弾性変形する板状本体とから構成されている。
【０００８】
したがって、キャスティング時には、板状本体が空気の抵抗を受けて芯体の後方に向けて弾性変形する。このため、魚釣り用ルアーの空気抵抗を受ける面積が減少する。しかも、板状本体の湾曲によってルアー自体の形状が流体抵抗の少ない流線形になる。
【０００９】
一方、ルアーの板状本体は着水後に復元する。そして、リーリング時には、ルアーに作用する水の抵抗はキャスティグ時の空気抵抗に比べて小さく、板状本体は殆ど弾性変形せずに板状に広がった状態を維持する。したがって、ルアーは水の抵抗を受けてゆっくり引いても沈み難くなり、また良好に遊泳アクションする。
【００１０】
【発明の実施の形態】
以下、本発明の構成を図面に示す最良の形態に基づいて詳細に説明する。
【００１１】
図１及び図２に本発明をスプーン型ルアー（以下スプーンと呼ぶ）に適用した第１の実施形態を示している。このスプーン１は、釣り糸側アイ４及び釣り針側アイ５を連結する高剛性の芯体２と、該芯体２に取り付けられた軟質の板状本体３とから構成されている。
【００１２】
芯体２は、例えば細長い薄板状に成形され、その両端部には釣り糸側アイ４又は釣り針側アイ５になる孔がそれぞれ穿孔されている。芯体２は、例えば金属、硬質合成樹脂等の高剛性材料より成るが、必ずしもこれらの材料に限るものではなく、スプーン１がリーリング時に受ける水抵抗及びキャスティング時に受ける空気抵抗のいずれによっても殆ど弾性変形せず、かつヒット（針がかり）した魚により破壊されない程度の剛性を有するものであれば良い。
【００１３】
板状本体３は、例えばほぼ楕円形状に成形され、芯体２に取り付けられている。この実施形態の場合には、板状本体３は芯体２をくるんでこれに一体化されている。板状本体３の前後両端部には、芯体２と同様に釣り糸側アイ４と釣り針側アイ５になる孔がそれぞれ穿孔されている。この板状本体３は、例えば合成樹脂、ゴム、生分解性を有する有機高分子等の軟質の弾性材料で成形され、リーリング時に受ける水抵抗によって殆ど弾性変形せずに板状に広がった状態を維持し、一方、キャスティング時に受ける空気抵抗により大きく弾性変形する程度の硬さ（軟らかさ）を有している。即ち、板状本体３は、リーリング時には殆ど弾性変形することがなく、一方、キャスティング時には大きく弾性変形する弾性体であれば良く、その材質は特に限定するものではない。
【００１４】
また、上述のように弾性変形可能であれば板状本体３の硬さについては特に限定するものではないが、より具体的にはＪＩＳスプリング硬さ計Ａ形による測定値が７０ポイント以下のものを使用することが望ましい。板状本体３の弾性変形量はその肉厚等によっても影響されるものではあるが、スプーンとして適用可能な肉厚の範囲では、上述の測定値が７０ポイントよりも大きくなると、キャスティング時の弾性変形量が少なくなって後述する空気抵抗の低減効果を良好に得ることができなくなってしまうからである。
【００１５】
なお、芯体２及び板状本体３は、リーリング時において水の抵抗を受けて遊泳アクションするように匙状又は波板状等の適宜形状に湾曲されている。また、釣り糸側アイ４には、図示しない釣り糸を接続するためのリング６が係止されている。一方、釣り針側アイ５には、釣り針７を連結するためのリング６が係止されている。
【００１６】
本実施形態のスプーン１は、例えば板状本体３の射出成形用金型に予め芯体２をセットした後、板状本体３を射出成形するインサート成形で製造される。
【００１７】
以上のように構成されたスプーン１によると、次のようにしてキャスティング時とリーリング時とで形態を変えて受ける抵抗を変化させる。
【００１８】
即ち、キャスティング時には、スプーン１は強い空気抵抗を受けて板状本体３が大きく弾性変形するが、芯体２は殆ど変形しないので、図２の２点鎖線や図３に示すように、板状本体３は芯体２を中心にして折れ曲がるように弾性変形し、スプーン１の空気抵抗を受ける面積が減少すると共にその形状がいわゆる流線形になる。このため、スプーン１が受ける空気抵抗が減少し、失速するまでの時間が延びてキャスティングの飛距離が伸びる。
【００１９】
一方、着水後のスプーン１の板状本体３は、もとの形状に復元して広がる。この状態でリーリングを行うと、スプーン１は水の抵抗を受けて遊泳アクションする。一般に、リーリング時にスプーン１に作用する水の抵抗は、キャスティング時にスプーン１に作用する空気抵抗よりもはるかに弱い。このため、板状本体３はリーリング時にはあまり弾性変形することがなく広がった状態を維持するので、広い面積で水の抵抗を受けることができ、スプーン１が沈み難くなる。即ち、スプーン１を比較的ゆっくりと引いた場合でも当該スプーン１を表層に泳がせることができ、また、遊泳アクションも大きくなる。
【００２０】
このため、より遠投が可能になり且つ表層において比較的ゆっくりとスプーン１を引くことが可能になり、より広い範囲のポイントを探れ、また、より魚に興味をいだかせることができるようになり、釣果に好影響を与えることができる。
【００２１】
また、板状本体３が軟質の弾性部材で成形されているので、食感が本物の餌に近くなり喰い付いた魚に与える違和感を減少させることができ、釣果に好ましい影響を与えることができる。
【００２２】
スプーン１に魚が喰い付き、そして釣り針７にかかった場合、各アイ４，５間を連結する芯体２が魚から受ける力を釣り糸に伝えるので、スプーン１の破損を防いで魚を釣り上げることができる。
【００２３】
一方、水中においてスプーン１を速く引くと、リーリング時に比べスプーン１に作用する水の抵抗が大きくなる。このため、釣り糸を速い速度で巻き取る場合には、板状本体３の弾性変形量が増加してスプーン１自体の形状がプラグに近づいた流線形になり、釣り糸の巻き取りが容易になると共に、スプーン１の回転を防止して釣り糸のよじれ等のトラブルを回避することができる。
【００２４】
なお、上述の形態は本発明の好適な形態の一例ではあるがこれに限定されるものではなく、本発明の要旨を逸脱しない範囲において種々変形実施可能である。例えば、芯体２の形状としては、各アイ４，５を連結することができ、なおかつ板状本体３の弾性変形を妨げない形状であれば特に限定されるものではない。例えば、図４に示すように芯体２を太くしても良く、また、図５に示すように芯体２を線材で形成しても良く、さらに、図６に示すように芯体２の両端を広げても良い。また、図７に示すように芯体２の両端を板状本体３よりも突出させても良く、この場合にはリング６が不要になる。
【００２５】
また、上述の説明では、芯体２を板状本体３でくるみ、即ち板状本体３内に芯体２を埋め込んでいるが、必ずしも芯体２を埋め込む必要はなく、芯体の両側面に分割した板状本体を接着や圧入、係合などによって固着させても良く、芯体２を露出させても良いことは勿論である。
【００２６】
【発明の効果】
以上説明したように、本発明に係る魚釣り用ルアーは、釣り糸側アイと釣り針側アイとを連結しリーリング時に受ける水抵抗及びキャスティング時に受ける空気抵抗のいずれによっても殆ど弾性変形しない芯体と、該芯体の周りに取り付けられリーリング時に受ける水抵抗によっては殆ど弾性変形せずに広がった状態を維持し且つキャスティング時に受ける空気抵抗により大きく弾性変形する板状本体とから構成されているので、キャスティング時には板状本体が弾性変形して受ける空気抵抗が減少し、より遠くまで投げることができる。一方、リーリング時には板状本体が広がり大きな面積で水の抵抗を受けることができるので、ルアーが沈み難くなり、また、大きな遊泳アクションが得られる。即ち、より遠投が可能になると共に比較的ゆっくりとリーリングしてもルアーを表層で引くことが可能な泳ぎの良いルアーとなる。このため、より広い範囲のポイントを探れるようになり、釣果に好影響を与えることができる。
【００２７】
また、魚が喰い付く板状本体が弾性体であるため、食感がより本物の餌に近くなって魚に与える違和感を減少させることができ、釣果に好ましい影響を与えることができる。
【００２８】
さらに、ルアーを速い速度で引いた場合にはルアーが受ける水の抵抗が増加するので、ルアーの回収時等釣り糸を速い速度で巻き取る場合には、板状本体の弾性変形量が増加してルアーが受ける水抵抗の増加が抑えられ、釣り糸の巻き取りが容易になると共に、ルアーの回転を防止して糸捩れ等のトラブルの発生防止を図ることができる。
【図面の簡単な説明】
【図１】本発明を適用したスプーンの第１の実施形態を示す斜視図である。
【図２】図１の矢線ＩＩ−ＩＩに沿うスプーンの断面図である。
【図３】図１のスプーンのキャスティング時における状態を示す斜視図である。
【図４】本発明を適用したスプーンの第２の実施形態を示す斜視図である。
【図５】本発明を適用したスプーンの第３の実施形態を示す斜視図である。
【図６】本発明を適用したスプーンの第４の実施形態を示す斜視図である。
【図７】本発明を適用したスプーンの第５の実施形態を示す斜視図である。
【符号の説明】
１  スプーン（釣り用ルアー）
２  芯体
３  板状本体
４  釣り糸側アイ
５  釣り針側アイ
【図１】
0003583223.tif 000002
【図２】
0003583223.tif 000003
【図３】
0003583223.tif 000004
【図４】
0003583223.tif 000005
【図５】
0003583223.tif 000006
【図６】
0003583223.tif 000007
【図７】
0003583223.tif 000008